(57)【要約】【課題】爪先側の先端部に特徴を有する靴下を陳列した状態で、靴下の先端部を効果的にアピールする。【解決手段】ラベル付き靴下は、一方の靴下と他方の靴下とを含む一対の靴下と；折り曲げたシート状を成し、折り目で連結された表側シート部および裏側シート部を有するラベルとを備える。他方の靴下は、畳まれた状態で一方の靴下における爪先側の先端部に収容されている。ラベルの表側シート部は、一方の靴下が貫通可能な開口部を有する。一方の靴下は、先端部が開口部から突出した状態で、表側シート部と裏側シート部との間に挟持されている。これによって、ラベルを取り外すことなく陳列した状態で、他方の靴下で膨らませた一方の靴下の先端部を効果的にアピールできる。【選択図】図１
2020050413.tif 000002
【特許請求の範囲】
【請求項１】
ラベル付き靴下であって、
一方の靴下と他方の靴下とを含む一対の靴下と、
折り曲げたシート状を成し、折り目で連結された表側シート部および裏側シート部を有するラベルと
を備え、
前記他方の靴下は、畳まれた状態で前記一方の靴下における爪先側の先端部に収容され、
前記ラベルの前記表側シート部は、前記一方の靴下が貫通可能な開口部を有し、
前記一方の靴下は、前記先端部が前記開口部から突出した状態で、前記表側シート部と前記裏側シート部との間に挟持されている、ラベル付き靴下。
【請求項２】
請求項１に記載のラベル付き靴下であって、
前記一方の靴下における前記先端部の甲側は、前記先端部が前記開口部から突出する方向である前方を向いている、ラベル付き靴下。
【請求項３】
請求項１または請求項２に記載のラベル付き靴下であって、
前記先端部が前記開口部から突出する方向である前方から見た場合、前記ラベルの前記表側シート部は、前記一方の靴下における前記先端部より、前記一方の靴下の幅方向に直交する上下方向に広がっている、ラベル付き靴下。
【請求項４】
請求項１から請求項３までのいずれか一項に記載のラベル付き靴下であって、
前記一方の靴下における前記先端部より履き口側の少なくとも一部は、表側シート部と裏側シート部との間からはみ出ている、ラベル付き靴下。
【請求項５】
請求項１から請求項４までのいずれか一項に記載のラベル付き靴下であって、
前記開口部は、前記一方の靴下の幅方向に広がっている、ラベル付き靴下。
【請求項６】
請求項１から請求項５までのいずれか一項に記載のラベル付き靴下であって、
前記ラベルは、前記開口部に位置する前記一方の靴下の足裏側から甲側へと向かう方向へ前記開口部から離れた位置に、陳列用の突起に吊り下げ可能に構成されたフックまたは貫通孔を有する、ラベル付き靴下。
【請求項７】
請求項１から請求項６までのいずれか一項に記載のラベル付き靴下であって、
更に、前記表側シート部から前記一方の靴下を通じて前記裏側シート部へと貫通するタグピンを備え、
前記先端部が前記開口部から突出する方向である前方から見た場合、前記一方の靴下における前記先端部は、前記タグピンに重なる、ラベル付き靴下。
【請求項８】
請求項１から請求項７までのいずれか一項に記載のラベル付き靴下であって、
前記一対の靴下のうち少なくとも前記一方の靴下の先端部は、突出部または模様の少なくとも一方を有する、ラベル付き靴下。
【発明の詳細な説明】
【技術分野】
【０００１】
本明細書は、ラベル付き靴下を開示する。
【背景技術】
【０００２】
一般的に、靴下は、ラベルを取り付けた状態の包装製品であるラベル付き靴下として展示販売される。靴下用のラベルには、紙製や樹脂製のシート材を折り曲げたものが知られている（例えば、特許文献１，２を参照）。このような靴下用のラベルは、折り畳まれた一対の靴下の端部を挟持することによって、一対の靴下を保持可能に構成されている。
【０００３】
また、近年、靴下の甲部に突出部や模様を形成することによって、動物やキャラクタを模したデザインが施された靴下も多く提案されている（例えば、特許文献３を参照）。
【先行技術文献】
【特許文献】
【０００４】
【特許文献１】実開昭５６−４５５５号公報
【特許文献２】特開２００８−２７２２００号公報
【特許文献３】特開平９−７８３０５号公報
【発明の概要】
【発明が解決しようとする課題】
【０００５】
爪先側の先端部に特徴を有する靴下を陳列の用に供することについて十分な考慮がなされていなかった。そのため、爪先側の先端部に特徴を有する靴下を陳列した状態で、靴下の先端部を効果的にアピールできることが求められていた。
【課題を解決するための手段】
【０００６】
（１）本明細書に開示する一形態におけるラベル付き靴下は、一方の靴下と他方の靴下とを含む一対の靴下と；折り曲げたシート状を成し、折り目で連結された表側シート部および裏側シート部を有するラベルとを備え、前記他方の靴下は、畳まれた状態で前記一方の靴下における爪先側の先端部に収容され、前記ラベルの前記表側シート部は、前記一方の靴下が貫通可能な開口部を有し、前記一方の靴下は、前記先端部が前記開口部から突出した状態で、前記表側シート部と前記裏側シート部との間に挟持されている。この形態のラベル付き靴下によれば、ラベルを取り外すことなく陳列した状態で、他方の靴下で膨らませた一方の靴下の先端部を効果的にアピールできる。
【０００７】
（２）上述のラベル付き靴下において、前記一方の靴下における前記先端部の甲側は、前記先端部が前記開口部から突出する方向である前方を向いていてもよい。この形態のラベル付き靴下によれば、他方の靴下で膨らませた一方の靴下における先端部の甲側を効果的にアピールできる。
【０００８】
（３）上述のラベル付き靴下において、前記先端部が前記開口部から突出する方向である前方から見た場合、前記ラベルの前記表側シート部は、前記一方の靴下における前記先端部より、前記一方の靴下の幅方向に直交する上下方向に広がっていてもよい。この形態のラベル付き靴下によれば、一方の靴下の先端部より上下方向に広がる表側シート部を用いて、一方の靴下の先端部をいっそう効果的にアピールできる。
【０００９】
（４）上述のラベル付き靴下において、前記一方の靴下における前記先端部より履き口側の少なくとも一部は、表側シート部と裏側シート部との間からはみ出ていてもよい。この形態のラベル付き靴下によれば、一方の靴下における履き口側を確認可能に陳列できる。
【００１０】
（５）上述のラベル付き靴下において、前記開口部は、前記一方の靴下の幅方向に広がっていてもよい。この形態のラベル付き靴下によれば、安定した状態で一方の靴下を開口部に保持できる。
【００１１】
（６）上述のラベル付き靴下において、前記ラベルは、前記開口部に位置する前記一方の靴下の足裏側から甲側へと向かう方向へ前記開口部から離れた位置に、陳列用の突起に吊り下げ可能に構成されたフックまたは貫通孔を有してもよい。この形態のラベル付き靴下によれば、陳列用の突起に吊り下げた状態で、開口部から垂れ下がる一方の靴下における先端部の甲側を正面に向けることができる。
【００１２】
（７）上述のラベル付き靴下において、更に、前記表側シート部から前記一方の靴下を通じて前記裏側シート部へと貫通するタグピンを備え、前記先端部が前記開口部から突出する方向である前方から見た場合、前記一方の靴下における前記先端部は、前記タグピンに重なってもよい。この形態のラベル付き靴下によれば、一方の靴下における先端部によってタグピンを隠すことができる。これによって、ラベル付き靴下のデザイン性を向上させることができる。
【００１３】
（８）上述のラベル付き靴下において、前記一対の靴下のうち少なくとも前記一方の靴下の先端部は、突出部または模様の少なくとも一方を有してもよい。この形態のラベル付き靴下によれば、ラベルを取り外すことなく陳列した状態で、一方の靴下の先端部における突出部または模様の少なくとも一方を効果的にアピールできる。
【００１４】
本明細書に記載する技術は、ラベル付き靴下のほか、種々の形態で実現できる。本明細書に記載する技術は、例えば、靴下のラベル取付方法、ならびに、上述のラベル付き靴下を構成する靴下およびラベルなどの形態で実現できる。
【図面の簡単な説明】
【００１５】
【図１】ラベル付き靴下の構成を示す正面図である。
【図２】ラベル付き靴下の構成を示す右側面図である。
【図３】ラベル付き靴下の構成を示す背面図である。
【図４】一対の靴下の構成を示す説明図である。
【図５】ラベルの構成を示す展開図である。
【発明を実施するための形態】
【００１６】
図１は、ラベル付き靴下１０の構成を示す正面図である。図２は、ラベル付き靴下１０の構成を示す右側面図である。図３は、ラベル付き靴下１０の構成を示す背面図である。図１のＸＹＺ軸は、ラベル付き靴下１０における各部の位置関係を示す。図１のＸＹＺ軸は、他の図におけるＸＹＺ軸に対応する。＋Ｘ軸方向は左側方を示し、−Ｘ軸方向は右側方を示す。＋Ｙ軸方向は前方を示し、−Ｙ軸方向は後方を示す。＋Ｚ軸方向は上方を示し、−Ｚ軸方向は下方を示す。
【００１７】
ラベル付き靴下１０は、一対の靴下１００にラベル２００を取り付けた包装製品である。ラベル付き靴下１０は、展示販売のために販売店舗において陳列される。ラベル付き靴下１０は、陳列用の突起８００に吊り下げ可能に構成されている。
【００１８】
一対の靴下１００は、一方の靴下１００Ａと他方の靴下１００Ｂとを含む。ラベル２００は、折り曲げたシート状を成す。ラベル付き靴下１０における他方の靴下１００Ｂは、畳まれた状態で一方の靴下における爪先側の先端部１０２に収容されている。図２には、他方の靴下１００Ｂにハッチングが施されている。他方の靴下１００Ｂは、折り畳まれた状態であってもよいし、巻いて畳まれた状態であってもよい。
【００１９】
一方の靴下１００Ａにおける先端部１０２は、足底部１４０における先縫い部１６０周辺から、足甲部１５０における先縫い部１６０周辺にわたる部位である。本実施形態では、靴下１００Ａは、動物を模した外観を先端部１０２に有する。靴下１００Ａは、足甲部１５０側の先端部１０２に、突出部１７１，１７２と、模様１８０とを備える。突出部１７１，１７２は、動物の両耳を模した意匠であり、模様１８０は、動物の目鼻を図案化した意匠であり、先縫い部１６０は、動物の口を模した意匠を兼ねる。これによって、一方の靴下１００Ａにおける先端部１０２は、動物の顔を模した外観となる。
【００２０】
ラベル２００は、折り目２０２で連結された表側シート部２１０および裏側シート部２２０を有する。表側シート部２１０は、一方の靴下１００Ａが貫通可能な開口部２１２を有する。一方の靴下１００Ａは、他方の靴下１００Ｂを収容する先端部１０２が開口部２１２から突出した状態で、表側シート部２１０と裏側シート部２２０との間に挟持されている。これによって、ラベル２００を取り外すことなく陳列した状態で、他方の靴下１００Ｂで膨らませた一方の靴下１００Ａにおける先端部１０２の甲側を効果的にアピールできる。
【００２１】
ラベル付き靴下１０において、一方の靴下１００Ａにおける先端部１０２の甲側は、先端部１０２が開口部２１２から突出する方向である前方（＋Ｙ軸方向）を向いている。これによって、他方の靴下１００Ｂで膨らませた一方の靴下１００Ａにおける先端部１０２の甲側を効果的にアピールできる。本実施形態では、先端部１０２に構成されている動物の顔は、正面を向いた状態となる。
【００２２】
ラベル付き靴下１０を前方（＋Ｙ軸方向）から見た場合、ラベル２００の表側シート部２１０は、一方の靴下１００Ａにおける先端部１０２より、一方の靴下１００Ａの幅方向（Ｘ軸方向）に直交する上下方向（Ｚ軸方向）に広がっている。これによって、一方の靴下１００Ａの先端部１０２より上下方向（Ｚ軸方向）に広がる表側シート部２１０を用いて、一方の靴下１００Ａの先端部１０２をいっそう効果的にアピールできる。
【００２３】
本実施形態では、一方の靴下１００Ａにおける先端部１０２は、表側シート部２１０の開口部２１２から下方（−Ｚ軸方向）に垂れ下がっている。表側シート部２１０の上方部２１４は、開口部２１２の上方（＋Ｚ軸方向）、言い換えると、一方の靴下１００Ａにおける先端部１０２より上方（＋Ｚ軸方向）に広がっている。表側シート部２１０の下方部２１６は、開口部２１２から垂れ下がる一方の靴下１００Ａにおける先端部１０２より下方（−Ｚ軸方向）に広がっている。本実施形態では、下方部２１６は、動物の前足を模した２つに分岐した形状を成し、それぞれの先端に動物の指を模した模様２１７を有する。そのため、一方の靴下１００Ａにおける先端部１０２と、ラベル２００における下方部２１６との組み合わせによって、動物としての意匠性を高めることができる。
【００２４】
一方の靴下１００Ａにおける先端部１０２より履き口１１０側の少なくとも一部は、ラベル２００の表側シート部２１０と裏側シート部２２０との間からはみ出ている。これによって、一方の靴下１００Ａにおける履き口１１０側を確認可能に陳列できる。また、一方の靴下１００Ａにおいて表側シート部２１０からはみ出ている部分を、一方の靴下１００Ａにおける先端部１０２を頭部とする動物の体に見立てることができる。
【００２５】
本実施形態では、一方の靴下１００Ａのうち表側シート部２１０と裏側シート部２２０との間からはみ出ている部分は、履き口１１０と、レッグ部１２０と、踵部１３０と、足底部１４０の一部と、足甲部１５０の一部である。履き口１１０は、下方（−Ｚ軸方向）を向いている。レッグ部１２０は、前方（＋Ｙ軸方向）および後方（−Ｙ軸方向）を向いている。踵部１３０および足底部１４０は、前方（＋Ｙ軸方向）を向いている。足甲部１５０は、後方（−Ｙ軸方向）を向いている。本実施形態では、一方の靴下１００Ａは、折り畳まれずに、表側シート部２１０と裏側シート部２２０との間に挟持されている。他の実施形態では、一方の靴下１００Ａは、折り畳まれた状態で、表側シート部２１０と裏側シート部２２０との間に挟持されていてもよい。
【００２６】
ラベル２００の開口部２１２は、一方の靴下１００Ａの幅方向（Ｘ軸方向）に広がっている。開口部２１２は、左右方向（Ｘ軸方向）に広がる長孔である。これによって、安定した状態で一方の靴下１００Ａにおける先端部１０２を開口部２１２に保持できる。
【００２７】
ラベル２００は、開口部２１２に位置する一方の靴下１００Ａの足裏側から甲側へと向かう方向（＋Ｚ軸方向）へ開口部２１２から離れた位置に、陳列用の突起８００に吊り下げ可能に構成されたフック２３０を有する。これによって、陳列用の突起８００に吊り下げた状態で、開口部２１２から垂れ下がる一方の靴下１００Ａにおける先端部１０２の甲側を正面（＋Ｙ軸方向）に向けることができる。
【００２８】
本実施形態では、フック２３０は、ラベル２００とは別部材である。他の実施形態では、フック２３０は、ラベル２００の一部として形成されてもよい。また、ラベル２００は、フック２３０に代えて、陳列用の突起８００に吊り下げ可能に構成された貫通孔を有していてもよい。
【００２９】
ラベル付き靴下１０は、更に、タグピン３００を備える。タグピン３００は、両端が幅広い線状を成す。本実施形態では、タグピン３００は、樹脂製である。タグピン３００は、表側シート部２１０から一方の靴下１００Ａを通じて裏側シート部２２０へと貫通する。これによって、表側シート部２１０と裏側シート部２２０との間に一方の靴下１００Ａを固定できる。
【００３０】
ラベル付き靴下１０を前方（＋Ｙ軸方向）から見た場合、一方の靴下１００Ａにおける先端部１０２は、タグピン３００に重なる。そのため、一方の靴下１００Ａにおける先端部１０２によってタグピン３００を隠すことができる。これによって、ラベル付き靴下１０のデザイン性を向上させることができる。
【００３１】
図４は、一対の靴下１００の構成を示す説明図である。本実施形態では、一対の靴下１００は、踝丈のアンクルソックスである。他の実施形態では、一対の靴下１００は、踝より長い丈を有する靴下（例えば、ショートソックス、ハイソックスなど）であってもよいし、踝丈より短い靴下（例えば、スニーカソックス、フットカバーなど）であってもよい。本実施形態では、一方の靴下１００Ａと他方の靴下１００Ｂとは、同一形状、言い換えると、左右兼用である。他の実施形態では、一方の靴下１００Ａと他方の靴下１００Ｂとは、鏡面対称形、言い換えると、左右別形状であってもよい。
【００３２】
靴下１００Ａは、編み物である。靴下１００Ａは、履き口１１０と、レッグ部１２０と、踵部１３０と、足底部１４０と、足甲部１５０と、先縫い部１６０とを備える。履き口１１０は、ゴム口部とも呼ばれる開口であり、ずり落ちを防止するために装着者の脚を締め付け可能な伸縮性を有する部位である。レッグ部１２０は、履き口１１０から踵部１３０までを構成し、装着者の脚を覆う部位である。踵部１３０は、装着者の踵を覆う部位である。足底部１４０は、装着者の脚底を覆う部位である。足甲部１５０は、装着者の足甲を覆う部位である。先縫い部１６０は、足底部１４０と足甲部１５０とを縫い合せた部位であり、装着者の爪先を覆う部位である。本実施形態では、先縫い部１６０は、ロッソによって形成されているが、他の実施形態では、リンキングによって形成されていてもよい。
【００３３】
靴下１００Ａは、先縫い部１６０側（爪先側）の先端部１０２に特徴を有する。先端部１０２は、足底部１４０における先縫い部１６０周辺から、足甲部１５０における先縫い部１６０周辺にわたる部位である。本実施形態では、靴下１００Ａは、動物を模した外観を先端部１０２に有する。靴下１００Ａは、足甲部１５０側の先端部１０２に、突出部１７１，１７２と、模様１８０とを備える。突出部１７１，１７２は、動物の両耳を模した意匠であり、模様１８０は、動物の目鼻を図案化した意匠である。
【００３４】
突出部１７１，１７２は、模様１８０より履き口１１０側において相互に左右対称に形成されている。突出部１７１，１７２は、踵部１３０と同様の手法によって足甲部１５０の一部として編成された部位である。模様１８０は、先縫い部１６０と突出部１７１，１７２との間に位置する。模様１８０は、大きな横長の楕円（動物の鼻に相当）と、その楕円の上部において左右に並ぶ小さな縦長の２つの楕円（動物の両目に相当）とを含む。模様１８０は、靴下１００Ａにおける他の部位とは異なる編成糸によって編成された部位である。突出部１７１，１７２および模様１８０の少なくとも一部は、別部材を取り付けることによって形成されていてもよい。本実施形態では、靴下１００Ａは、編成糸として主に起毛糸を用いて編成されている。そのため、突出部１７１，１７２および模様１８０に加え、起毛糸による靴下１００Ａの表面構成によって、動物としての意匠性を高めることができる。
【００３５】
図５は、ラベル２００の構成を示す展開図である。ラベル２００は、シート状の部材から作製される。本実施形態では、ラベル２００は、厚紙製である。他の実施形態では、ラベル２００は、樹脂製シートから作製されてもよい。
【００３６】
ラベル２００は、折り目２０２と、表側シート部２１０と、裏側シート部２２０とを有する。折り目２０２は、表側シート部２１０と裏側シート部２２０とを連結する部位である。ラベル２００は、折り目２０２で折り曲げたシート状を成す。表側シート部２１０は、ラベル付き靴下１０において前方（＋Ｙ軸方向）を向く部位である。裏側シート部２２０は、ラベル付き靴下１０において後方（−Ｙ軸方向）を向く部位である。
【００３７】
ラベル２００の表側シート部２１０は、開口部２１２と、タグ孔２１３と、上方部２１４と、中間部２１５と、下方部２１６とを有する。開口部２１２は、一方の靴下１００Ａが貫通可能な貫通孔である。タグ孔２１３は、タグピン３００が貫通可能な貫通孔である。タグ孔２１３は、中間部２１５に形成されている。上方部２１４は、開口部２１２より折り目２０２側に広がる平面を構成する。中間部２１５は、上方部２１４とは反対側に開口部２１２より広がる平面を構成する。中間部２１５は、ラベル付き靴下１０において一方の靴下１００Ａの先端部１０２に接触する平面を構成する。下方部２１６は、上方部２１４とは反対側に中間部２１５からさらに広がる平面を構成する。本実施形態では、下方部２１６には、模様２１７が形成されている。
【００３８】
ラベル２００の裏側シート部２２０は、フック孔２０４と、タグ孔２２３とを有する。フック孔２０４は、フック２３０を固定する貫通孔である。フック孔２０４は、折り目２０２に沿って形成されている。タグ孔２２３は、タグピン３００が貫通可能な貫通孔である。タグ孔２２３は、ラベル２００を折り目２０２で折り曲げた状態で、表側シート部２１０のタグ孔２１３と重なる位置に形成されている。
【００３９】
以上説明したラベル付き靴下１０によれば、一方の靴下１００Ａは、先端部１０２が開口部２１２から突出した状態で、表側シート部２１０と裏側シート部２２０との間に挟持されている。そのため、ラベル２００を取り外すことなく陳列した状態で、他方の靴下１００Ｂで膨らませた一方の靴下１００Ａの先端部１０２を効果的にアピールできる。
【００４０】
また、一方の靴下１００Ａにおける先端部１０２の甲側は、先端部１０２が開口部２１２から突出する方向である前方（＋Ｙ軸方向）を向いている。そのため、他方の靴下１００Ｂで膨らませた一方の靴下１００Ａにおける先端部１０２の甲側を効果的にアピールできる。
【００４１】
また、先端部１０２が開口部２１２から突出する方向である前方（＋Ｙ軸方向）から見た場合、ラベル２００の表側シート部２１０は、一方の靴下１００Ａにおける先端部１０２より、一方の靴下１００Ｂの幅方向（Ｘ軸方向）に直交する上下方向（Ｚ軸方向）に広がっている。そのため、一方の靴下１００Ａの先端部１０２より上下方向（Ｚ軸方向）に広がる表側シート部２１０を用いて、一方の靴下１００Ａの先端部１０２をいっそう効果的にアピールできる。
【００４２】
また、一方の靴下１００Ａにおける先端部１０２より履き口１１０側の少なくとも一部は、表側シート部２１０と裏側シート部２２０との間からはみ出ているため、一方の靴下１００Ａにおける履き口１１０側を確認可能に陳列できる。
【００４３】
また、開口部２１２は、一方の靴下１００Ａの幅方向（Ｘ軸方向）に広がっているため、安定した状態で一方の靴下１００Ａを開口部２１２に保持できる。
【００４４】
また、ラベル２００は、開口部２１２に位置する一方の靴下１００Ａの足裏側から甲側へと向かう方向（＋Ｚ軸方向）へ開口部２１２から離れた位置に、陳列用の突起に吊り下げ可能に構成されたフック２３０を有する。そのため、陳列用の突起８００に吊り下げた状態で、開口部２１２から垂れ下がる一方の靴下１００Ａにおける先端部１０２の甲側を正面（＋Ｙ軸方向）に向けることができる。
【００４５】
また、先端部１０２が開口部２１２から突出する方向である前方（＋Ｙ軸方向）から見た場合、一方の靴下１００Ａにおける先端部１０２は、タグピン３００に重なっている。そのため、一方の靴下１００Ａにおける先端部１０２によってタグピン３００を隠すことができる。これによって、ラベル付き靴下１０のデザイン性を向上させることができる。
【００４６】
また、一対の靴下１００のうち少なくとも一方の靴下１００Ａの先端部１０２は、突出部１７１，１７２および模様１８０を有する。そのため、ラベル２００を取り外すことなく陳列した状態で、一方の靴下１００Ａの先端部１０２における突出部１７１，１７２および模様１８０を効果的にアピールできる。
【００４７】
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【符号の説明】
【００４８】
１０…ラベル付き靴下
１００…一対の靴下
１００Ａ…靴下
１００Ｂ…靴下
１０２…先端部
１１０…履き口
１２０…レッグ部
１３０…踵部
１４０…足底部
１５０…足甲部
１６０…先縫い部
１７１，１７２…突出部
１８０…模様
２００…ラベル
２０２…折り目
２０４…フック孔
２１０…表側シート部
２１２…開口部
２１３…タグ孔
２１４…上方部
２１５…中間部
２１６…下方部
２１７…模様
２２０…裏側シート部
２２３…タグ孔
２３０…フック
３００…タグピン
８００…陳列用の突起
【図１】
2020050413.tif 000003
【図２】
2020050413.tif 000004
【図３】
2020050413.tif 000005
【図４】
2020050413.tif 000006
【図５】
2020050413.tif 000007